(57)【要約】【課題】警察・消防に通話中において、電話端末にてオンフックが行なわれた場合にも、回線保留及び呼び返しを行なうことができるインターネット電話システムを提供する。【解決手段】本発明は、警察・消防に通話中において、電話端末にてオンフックが行なわれた場合にも、端末側ＶｏＩＰゲートウェイ装置４において、電話端末２からのオンフック信号を無視することにより、端末側ＶｏＩＰゲートウェイ装置４と交換機側側ＶｏＩＰゲートウェイ装置６との間のセッションを維持することにより、回線保持機能を実現する。【選択図】    図１
2004363818.tif 000002
【特許請求の範囲】
【請求項１】
電話端末と、
ＩＰ（Ｉｎｔｅｒｎｅｔ  Ｐｒｏｔｏｃｏｌ）ネットワークと、
前記電話端末と加入者線を介して接続され、かつ前記ＩＰネットワークに接続された端末側ＶｏＩＰ（Ｖｏｉｃｅ  ｏｖｅｒ  Ｉｎｔｅｒｎｅｔ  Ｐｒｏｔｏｃｏｌ）ゲートウェイ装置と、
前記ＩＰネットワークに接続され、かつ公衆電話網に接続された交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置とを具備するインターネット電話システムにおいて、
前記端末側ＶｏＩＰゲートウェイ装置は、
前記電話端末から警察或いは消防への通話中に、前記電話端末によるオンフック動作を検出する手段と、
前記オンフック動作を検出した場合に、前記オンフック動作の検出を無視し、前記端末側ＶｏＩＰゲートウェイ装置と前記交換機側ＶｏＩＰゲートウェイ装置との間のセッションを維持する手段と
を具備することを特徴とするインターネット電話システム。
【請求項２】
電話端末と、
ＩＰ（Ｉｎｔｅｒｎｅｔ  Ｐｒｏｔｏｃｏｌ）ネットワークと、
前記電話端末と加入者線を介して接続され、かつ前記ＩＰネットワークに接続された端末側ＶｏＩＰ（Ｖｏｉｃｅ  ｏｖｅｒ  Ｉｎｔｅｒｎｅｔ  Ｐｒｏｔｏｃｏｌ）ゲートウェイ装置と、
前記ＩＰネットワークに接続され、かつ公衆電話網に接続された交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置とを具備するインターネット電話システムにおいて、
前記交換機側ＶｏＩＰゲートウェイ装置は、
前記電話端末から警察或いは消防への通話中に、前記端末側ゲートウェイ装置からのセッション切断要求を受信する手段と、
前記受信した切断要求を拒否し、前記端末側ＶｏＩＰゲートウェイ装置と前記交換機側ＶｏＩＰゲートウェイ装置との間のセッションを維持する手段と
を具備することを特徴とするインターネット電話システム。
【請求項３】
電話端末と、
ＩＰ（Ｉｎｔｅｒｎｅｔ  Ｐｒｏｔｏｃｏｌ）ネットワークと、
前記電話端末と加入者線を介して接続され、かつ前記ＩＰネットワークに接続された端末側ＶｏＩＰ（Ｖｏｉｃｅ  ｏｖｅｒ  Ｉｎｔｅｒｎｅｔ  Ｐｒｏｔｏｃｏｌ）ゲートウェイ装置と、
前記ＩＰネットワークに接続され、かつ公衆電話網に接続された交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置と、
前記ＩＰネットワークに接続されたＶｏＩＰ（Ｖｏｉｃｅ  ｏｖｅｒ  Ｉｎｔｅｒｎｅｔ  Ｐｒｏｔｏｃｏｌ）ゲートキーパー装置と
を具備するインターネット電話システムにおいて、
前記ＶｏＩＰ（Ｖｏｉｃｅ  ｏｖｅｒ  Ｉｎｔｅｒｎｅｔ  Ｐｒｏｔｏｃｏｌ）ゲートキーパー装置は、
前記電話端末から警察或いは消防への通話中に、前記端末側ゲートウェイ装置からのセッション切断要求を受信する手段と、
前記受信したセッション切断要求を拒否し、前記ＶｏＩＰゲートキーパー装置と交換機側ＶｏＩＰゲートウェイ装置との間、及び前記ＶｏＩＰゲートキーパー装置と端末側ＶｏＩＰゲートウェイ装置との間の呼制御用セッション、及び前記交換機側ＶｏＩＰゲートウェイ装置と前記端末側ＶｏＩＰゲートウェイ装置との間の音声通話用のセッションを維持する手段と
を具備することを特徴とするインターネット電話システム。
【請求項４】
前記交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置は、
前記警察或いは消防によるオンフック動作を検出する手段と、
前記警察或いは消防によるオンフック動作を検出した場合に、前記端末側ＶｏＩＰゲートウェイ装置と前記交換機側ＶｏＩＰゲートウェイ装置との間のセッションを切断する手段と
を具備することを特徴とする請求項１又は請求項２記載のインターネット電話システム。
【請求項５】
前記交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置は、
前記警察或いは消防によるオンフック動作を検出する手段と、
前記警察或いは消防によるオンフック動作を検出した場合に、前記端末側ＶｏＩＰゲートウェイ装置と前記交換機側ＶｏＩＰゲートウェイ装置との間の音声通話用セッションを切断するとともに、前記ＶｏＩＰゲートキーパー装置に対してオンフック動作が検出されたことを通知する手段とを具備し、
前記ＶｏＩＰゲートキーパー装置は、
前記交換機側ＶｏＩＰゲートウェイ装置からの通知に基づいて、前記ＶｏＩＰゲートキーパー装置と交換機側ＶｏＩＰゲートウェイ装置との間、及び前記ＶｏＩＰゲートキーパー装置と端末側ＶｏＩＰゲートウェイ装置との間の呼制御用セッションを切断する手段を具備することを特徴とする請求項３記載のインターネット電話システム。
【請求項６】
電話端末と、
ＩＰ（Ｉｎｔｅｒｎｅｔ  Ｐｒｏｔｏｃｏｌ）ネットワークと、
前記電話端末と加入者線を介して接続され、かつ前記ＩＰネットワークに接続された端末側ＶｏＩＰ（Ｖｏｉｃｅ  ｏｖｅｒ  Ｉｎｔｅｒｎｅｔ  Ｐｒｏｔｏｃｏｌ）ゲートウェイ装置と、
前記ＩＰネットワークに接続され、かつ公衆電話網に接続された交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置とを具備するインターネット電話システムにおける回線保留方法において、
前記端末側ＶｏＩＰゲートウェイ装置は、前記電話端末から警察或いは消防への通話中に、前記電話端末によるオンフック動作を検出し、前記オンフック動作を検出した場合に、前記オンフック動作の検出を無視し、前記端末側ＶｏＩＰゲートウェイ装置と前記交換機側ＶｏＩＰゲートウェイ装置との間のセッションを維持することを特徴とする回線保留方法。
【請求項７】
電話端末と、
ＩＰ（Ｉｎｔｅｒｎｅｔ  Ｐｒｏｔｏｃｏｌ）ネットワークと、
前記電話端末と加入者線を介して接続され、かつ前記ＩＰネットワークに接続された端末側ＶｏＩＰ（Ｖｏｉｃｅ  ｏｖｅｒ  Ｉｎｔｅｒｎｅｔ  Ｐｒｏｔｏｃｏｌ）ゲートウェイ装置と、
前記ＩＰネットワークに接続され、かつ公衆電話網に接続された交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置とを具備するインターネット電話システムにおける回線保留方法において、
前記交換機側ＶｏＩＰゲートウェイ装置は、前記電話端末から警察或いは消防への通話中に、前記端末側ゲートウェイ装置からのセッション切断要求を受信し、前記受信した切断要求を拒否し、前記端末側ＶｏＩＰゲートウェイ装置と前記交換機側ＶｏＩＰゲートウェイ装置との間のセッションを維持することを特徴とする回線保留方法。
【請求項８】
電話端末と、
ＩＰ（Ｉｎｔｅｒｎｅｔ  Ｐｒｏｔｏｃｏｌ）ネットワークと、
前記電話端末と加入者線を介して接続され、かつ前記ＩＰネットワークに接続された端末側ＶｏＩＰ（Ｖｏｉｃｅ  ｏｖｅｒ  Ｉｎｔｅｒｎｅｔ  Ｐｒｏｔｏｃｏｌ）ゲートウェイ装置と、
前記ＩＰネットワークに接続され、かつ公衆電話網に接続された交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置と、
前記ＩＰネットワークに接続されたＶｏＩＰ（Ｖｏｉｃｅ  ｏｖｅｒ  Ｉｎｔｅｒｎｅｔ  Ｐｒｏｔｏｃｏｌ）ゲートキーパー装置と
を具備するインターネット電話システムにおける回線保留方法において、
前記ＶｏＩＰ（Ｖｏｉｃｅ  ｏｖｅｒ  Ｉｎｔｅｒｎｅｔ  Ｐｒｏｔｏｃｏｌ）ゲートキーパー装置は、前記電話端末から警察或いは消防への通話中に、前記端末側ゲートウェイ装置からのセッション切断要求を受信し、前記受信したセッション切断要求を拒否し、前記ＶｏＩＰゲートキーパー装置と交換機側ＶｏＩＰゲートウェイ装置との間、及び前記ＶｏＩＰゲートキーパー装置と端末側ＶｏＩＰゲートウェイ装置との間の呼制御用セッション、及び前記交換機側ＶｏＩＰゲートウェイ装置と前記端末側ＶｏＩＰゲートウェイ装置との間の音声通話用のセッションを維持することを特徴とする回線保留方法。
【請求項９】
前記交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置が、
前記警察或いは消防によるオンフック動作を検出し、
前記警察或いは消防によるオンフック動作を検出した場合に、前記端末側ＶｏＩＰゲートウェイ装置と前記交換機側ＶｏＩＰゲートウェイ装置との間のセッションを切断するステップをさらに具備することを特徴とする請求項６又は請求項７記載の回線保留方法。
【請求項１０】
前記交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置が、
前記警察或いは消防によるオンフック動作を検出し、
前記警察或いは消防によるオンフック動作を検出した場合に、前記端末側ＶｏＩＰゲートウェイ装置と前記交換機側ＶｏＩＰゲートウェイ装置との間の音声通話用セッションを切断するとともに、前記ＶｏＩＰゲートキーパー装置に対してオンフック動作が検出されたことを通知するステップをさらに具備し、
前記ＶｏＩＰゲートキーパー装置が、
前記交換機側ＶｏＩＰゲートウェイ装置からの通知に基づいて、前記ＶｏＩＰゲートキーパー装置と交換機側ＶｏＩＰゲートウェイ装置との間、及び前記ＶｏＩＰゲートキーパー装置と端末側ＶｏＩＰゲートウェイ装置との間の呼制御用セッションを切断するステップをさらに具備することを特徴とする請求項８記載の回線保留方法。
【発明の詳細な説明】
【０００１】
【発明の属する技術分野】
本発明は、インターネット電話システム及び同システムにおける回線保留方法に関する。
【０００２】
【従来の技術】
図６は、第一種電気通信事業者が提供する加入電話の電話端末と公衆電話網の間を加入電話回線またはＩＳＤＮ回線の局線で接続し、公衆電話網と警察・消防受付台との間を警察・消防回線で接続しているネットワーク構成図である。
【０００３】
電話端末機１０１から警察・消防受付台１０５に発呼すると、その呼は局線１０２、公衆電話網１０３、警察・消防回線１０４を経て、警察・消防受付台１０５に着信する。
【０００４】
発信を行った電話端末機１０１と、警察・消防受付台１０５とが通話中に、電話端末機１０１側でオンフック、すなわち通話を切断する操作が行われると、電話端末機１０１と警察・消防受付台１０５との間の通話は切断されるが、公衆電話網１０３と警察・消防受付台１０５との通話回線は保留されるようになっている。
【０００５】
警察・消防受付台１０５にて呼び返し操作が行われると、その呼び返し信号は、警察・消防回線１０４、公衆電話網１０３、局線１０２を経て、電話端末機１０１に着信し、電話端末機１０１のベルを鳴動させる。電話端末機１０１がオフフックすることで、再び、電話端末機１０１と警察・消防受付台１０５との間で通話を行うことができる。
図１は、インターネット電話システムの構成を示す図である。
【０００６】
同図に示すように、このインターネット電話システム１は、複数の電話端末（ＶｏＩＰ  ＴＥＬ）２−１〜２−Ｎ、複数の端末側ＶｏＩＰゲートウェイ装置（ＦＸＳ）４−１〜４−Ｎ、複数の交換機側ＶｏＩＰゲートウェイ装置（ＦＸＯ）６−１〜６−Ｎから構成される。
【０００７】
電話端末２−１〜２−Ｎ〜端末側ＶｏＩＰゲートウェイ装置４−１〜４−Ｎ間は加入者線で接続し、端末側ＶｏＩＰゲートウェイ装置４−１〜４−Ｎ〜交換機側ＶｏＩＰゲートウェイ装置６−１〜６−Ｎ間はインターネット等のＩＰネットワーク５で接続される。
【０００８】
交換機側ＶｏＩＰゲートウェイ装置６−１〜６−Ｎと、公衆電話網８間との間は、局線７−１〜７−Ｎで接続され、公衆電話網８と警察・消防受付台１０とは、１または複数の警察・消防回線９で接続されている。
【０００９】
以下、図１に示した構成のインターネット電話システムの従来の動作について、図７のタイミングチャートを参照して説明する。ここでは、インターネット電話システムの電話端末機（ＶｏＩＰ  ＴＥＬ）２（２−１〜２−Ｎ）から警察・消防受付台（ＰＦＤ）１０に発呼する場合を説明する。
【００１０】
インターネット電話システムの電話端末機（ＶｏＩＰ  ＴＥＬ）２（２−１〜２−Ｎ）から警察・消防受付台（ＰＦＤ）１０に発呼すると（Ｔ１０１）、当該呼を端末側ＶｏＩＰゲートウェイ装置（ＦＸＳ）４（４−１〜４−Ｎ）が検知する。
【００１１】
その後、ＩＰネットワークで接続された端末側ＶｏＩＰゲートウェイ装置（ＦＸＳ）４（４−１〜４−Ｎ）〜交換機側ＶｏＩＰゲートウェイ装置６（６−１〜６−Ｎ）間のＩＰコネクションが確立し（Ｔ１０２）、交換機側ＶｏＩＰゲートウェイ装置（ＦＸＯ）６（６−１〜６−Ｎ）、局線７（７−１〜７−Ｎ）、公衆電話網（ＰＳＴＮ）８、警察・消防回線９を経て警察・消防受付台（ＰＦＤ）１０に着信する（非特許文献１参照）。
【００１２】
【非特許文献１】
大久保  榮  他  「Ｈ．３２３／ＭＰＥＧ−４教科書」、第１版、ＩＥインスティチュート、２００１年４月１６日、ｐ．１７３−ｐ．１７５、ｐ．２１８−ｐ．２１９
【００１３】
【発明が解決しようとする課題】
公衆電話網（ＰＳＴＮ）にインターネット電話システム（端末側ＶｏＩＰゲートウェイ装置（ＦＸＳ）４（４−１〜４−Ｎ）と交換機側ＶｏＩＰゲートウェイ装置（ＦＸＯ）６（６−１〜６−Ｎ）及びＩＰネットワーク５）が接続されている場合、以下のような欠点がある。
【００１４】
電話端末機（ＶｏＩＰ  ＴＥＬ）２（２−１〜２−Ｎ）から警察・消防受付台（ＰＦＤ）１０へ発呼し（Ｔ１０１）、端末側ＶｏＩＰゲートウェイ装置（ＦＸＳ）４（４−１〜４−Ｎ）と交換機側ＶｏＩＰゲートウェイ装置（ＦＸＯ）６（６−１〜６−Ｎ）との間にセッションを確立し（Ｔ１０２）、交換機側ＶｏＩＰゲートウェイ装置（ＦＸＯ）６（６−１〜６−Ｎ）と警察・消防受付台（ＰＦＤ）１０との間に発呼シーケンスを確立し（Ｔ１０３）、警察・消防受付台（ＰＦＤ）１０からオフフックを、交換機側ＶｏＩＰゲートウェイ装置（ＦＸＯ）６（６−１〜６−Ｎ）を介して、端末側ＶｏＩＰゲートウェイ装置（ＦＸＳ）４（４−１〜４−Ｎ）に通知し（Ｔ１０４、Ｔ１０５）、通話状態（Ｔ１０６）になる。
【００１５】
通話状態になった後に、当該電話端末機２（２−１〜２−Ｎ）のオンフックを行うと（Ｔ１０７）、公衆電話網（ＰＳＴＮ）と警察・消防受付台（ＰＦＤ）間の通話回線は保留されるが、端末側ＶｏＩＰゲートウェイ装置（ＦＸＳ）と交換機側ＶｏＩＰゲートウェイ装置（ＦＸＯ）間のセッションが切断されてしまう（Ｔ１０８）。この状況において、警察・消防受付台にて呼び返し制御を行っても（Ｔ１０９）、電話機と接続している端末側ＶｏＩＰゲートウェイ装置まで呼び返し制御が到達せず、電話端末機のベルを鳴動させることができないという問題があった。
【００１６】
本発明は、上記実情に鑑みてなされたものであり、１１０番、１１９番への発呼状態を端末側ＶｏＩＰゲートウェイ装置、交換機側ＶｏＩＰゲートウェイ装置のいずれかで保持し、電話端末が警察・消防と通話している状況においては、前記いずれかの装置において端末のオンフックを検出しても端末側ＶｏＩＰゲートウェイ装置〜交換機側ＶｏＩＰゲートウェイ装置間のセッションを切断せず維持しつづけることで、回線保留機能を実現することができるインターネット電話システムを提供することを目的とする。
【００１７】
また、本発明は、警察・消防受付台における呼び返し操作による呼び返し制御が実施された場合においても、端末側ＶｏＩＰゲートウェイ装置まで呼び返し制御が到達し、電話端末機のベルを鳴動させることができ、インターネット電話システムの電話端末機に対しても、警察・消防からの呼び返しがあったとき、一般加入電話と同様に通話の再開を可能とすることが出来るインターネット電話システムを提供することを目的とする。
【００１８】
【課題を解決するための手段】
したがって、上記目的を達成するために、本発明の第１の発明は、電話端末と、
ＩＰ（Ｉｎｔｅｒｎｅｔ  Ｐｒｏｔｏｃｏｌ）ネットワークと、前記電話端末と加入者線を介して接続され、かつ前記ＩＰネットワークに接続された端末側ＶｏＩＰ（Ｖｏｉｃｅ  ｏｖｅｒ  Ｉｎｔｅｒｎｅｔ  Ｐｒｏｔｏｃｏｌ）ゲートウェイ装置と、前記ＩＰネットワークに接続され、かつ公衆電話網に接続された交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置とを具備するインターネット電話システムにおいて、前記端末側ＶｏＩＰゲートウェイ装置は、前記電話端末から警察或いは消防への通話中に、前記電話端末によるオンフック動作を検出する手段と、前記オンフック動作を検出した場合に、前記オンフック動作の検出を無視し、前記端末側ＶｏＩＰゲートウェイ装置と前記交換機側ＶｏＩＰゲートウェイ装置との間のセッションを維持する手段とを具備することを特徴とするインターネット電話システム、である。
【００１９】
また、本発明の第２の発明は、電話端末と、ＩＰ（Ｉｎｔｅｒｎｅｔ  Ｐｒｏｔｏｃｏｌ）ネットワークと、前記電話端末と加入者線を介して接続され、かつ前記ＩＰネットワークに接続された端末側ＶｏＩＰ（Ｖｏｉｃｅ  ｏｖｅｒ  Ｉｎｔｅｒｎｅｔ  Ｐｒｏｔｏｃｏｌ）ゲートウェイ装置と、前記ＩＰネットワークに接続され、かつ公衆電話網に接続された交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置とを具備するインターネット電話システムにおいて、前記交換機側ＶｏＩＰゲートウェイ装置は、前記電話端末から警察或いは消防への通話中に、前記端末側ゲートウェイ装置からのセッション切断要求を受信する手段と、前記受信した切断要求を拒否し、前記端末側ＶｏＩＰゲートウェイ装置と前記交換機側ＶｏＩＰゲートウェイ装置との間のセッションを維持する手段とを具備することを特徴とするインターネット電話システム、である。
【００２０】
さらに、本発明の第３の発明は、電話端末と、ＩＰ（Ｉｎｔｅｒｎｅｔ  Ｐｒｏｔｏｃｏｌ）ネットワークと、前記電話端末と加入者線を介して接続され、かつ前記ＩＰネットワークに接続された端末側ＶｏＩＰ（Ｖｏｉｃｅ  ｏｖｅｒ  Ｉｎｔｅｒｎｅｔ  Ｐｒｏｔｏｃｏｌ）ゲートウェイ装置と、前記ＩＰネットワークに接続され、かつ公衆電話網に接続された交換機側ＶｏＩＰ（Ｖｏｉｃｅ  ｏｖｅｒ  Ｉｎｔｅｒｎｅｔ  Ｐｒｏｔｏｃｏｌ）ゲートウェイ装置と、前記ＩＰネットワークに接続されたＶｏＩＰ（Ｖｏｉｃｅ  ｏｖｅｒ  Ｉｎｔｅｒｎｅｔ  Ｐｒｏｔｏｃｏｌ）ゲートキーパー装置とを具備するインターネット電話システムにおいて、前記ＶｏＩＰ（Ｖｏｉｃｅ  ｏｖｅｒ  Ｉｎｔｅｒｎｅｔ  Ｐｒｏｔｏｃｏｌ）ゲートキーパー装置は、前記電話端末から警察或いは消防への通話中に、前記端末側ゲートウェイ装置からのセッション切断要求を受信する手段と、前記受信したセッション切断要求を拒否し、前記ＶｏＩＰゲートキーパー装置と交換機側ＶｏＩＰゲートウェイ装置との間、及び前記ＶｏＩＰゲートキーパー装置と端末側ＶｏＩＰゲートウェイ装置との間の呼制御用セッション、及び前記交換機側ＶｏＩＰゲートウェイ装置と前記端末側ＶｏＩＰゲートウェイ装置との間の音声通話用のセッションを維持する手段とを具備することを特徴とするインターネット電話システム、である。
【００２１】
【発明の実施の形態】
以下、図面を参照して、本発明の実施の形態に係るインターネット電話システムについて説明する。
＜第１の実施の形態＞
図１は、本発明の第１の実施の形態に係るインターネット電話システムの構成を示す図である。
【００２２】
同図に示すように、このインターネット電話システム１は、複数の電話端末（ＶｏＩＰ  ＴＥＬ）２−１〜２−Ｎ、複数の端末側ＶｏＩＰゲートウェイ装置（ＦＸＳ）４−１〜４−Ｎ、複数の交換機側ＶｏＩＰゲートウェイ装置（ＦＸＯ）６−１〜６−Ｎから構成される。
【００２３】
電話端末２−１〜２−Ｎ〜端末側ＶｏＩＰゲートウェイ装置４−１〜４−Ｎ間は加入者線で接続し、端末側ＶｏＩＰゲートウェイ装置４−１〜４−Ｎ〜交換機側ＶｏＩＰゲートウェイ装置６−１〜６−Ｎ間はインターネット等のＩＰネットワーク５で接続される。
【００２４】
交換機側ＶｏＩＰゲートウェイ装置６−１〜６−Ｎと、公衆電話網８間との間は、局線７−１〜７−Ｎで接続され、公衆電話網８と警察・消防受付台１０とは、１または複数の警察・消防回線９で接続されている。
【００２５】
以下、図１に示した構成のインターネット電話システムの本発明の第１の実施の形態の動作について、図３のタイミングチャートを参照して説明する。ここでは、電話端末（ＶｏＩＰ  ＴＥＬ）２（２−１〜２−Ｎ）より１１０番又は１１９番発呼をするためオフフックした場合について説明する。
【００２６】
電話端末（ＶｏＩＰ  ＴＥＬ）２（２−１〜２−Ｎ）のオフフック動作を端末側ＶｏＩＰゲートウェイ装置（ＦＸＳ）４（４−１〜４−Ｎ）が検知する（Ｔ１）。当該装置４（４−１〜４−Ｎ）は、交換機側ＶｏＩＰゲートウェイ装置（ＦＸＯ）６（６−１〜６−Ｎ）とＩＰネットワークを介してセッションを確立する（Ｔ２）。
【００２７】
このとき、端末側ＶｏＩＰゲートウェイ装置４（４−１〜４−Ｎ）は、当該呼が１１０番呼又は１１９番呼であることを保持している。この後、交換機側ＶｏＩＰゲートウェイ装置６（６−１〜６−Ｎ）は公衆電話網に対して発呼シーケンスを開始し、警察・消防受付台に着信する（Ｔ３）。
【００２８】
警察・消防受付台１０におけるオフフックは、公衆電話網（ＰＳＴＮ）８を介して交換機側ＶｏＩＰゲートウェイ装置６（６−１〜６−Ｎ）にて検知される（Ｔ４）。
【００２９】
その後、交換機側ＶｏＩＰゲートウェイ装置６（６−１〜６−Ｎ）は、端末側ＶｏＩＰゲートウェイ装置４（４−１〜４−Ｎ）に対してオフフック信号を送出する（Ｔ５）。以上で電話端末〜警察・消防受付台間で通話が可能となる。また、このとき、端末側ＶｏＩＰゲートウェイ装置は警察・消防通話状態となる。
【００３０】
警察・消防通話状態において、端末側ＶｏＩＰゲートウェイ装置４が、公衆電話網側からのオンフックを検知しないかぎり、端末側ＶｏＩＰゲートウェイ装置４（４−１〜４−Ｎ）は、交換機側ＶｏＩＰゲートウェイ装置６（６−１〜６−Ｎ）〜端末側ＶｏＩＰゲートウェイ装置４（４−１〜４−Ｎ）間のセッションを切断しないよう動作する。
【００３１】
すなわち、警察・消防通話状態において、端末側ＶｏＩＰゲートウェイ装置４（４−１〜４−Ｎ）が電話端末側からのオンフックを検出した場合、端末側ＶｏＩＰゲートウェイ装置４（４−１〜４−Ｎ）はこれを無視する（Ｔ７）。
【００３２】
警察・消防通話状態において、電話端末がオンフックした後に続けてオフフック動作をしても、端末側ＶｏＩＰゲートウェイ装置４（４−１〜４−Ｎ）と、交換機側ＶｏＩＰゲートウェイ装置６（６−１〜６−Ｎ）間のセッションは保持されているので、オフフック後、電話端末は別の発呼を行うことはなく、警察・消防受付台との通話が再開される。これは回線保留機能が実現されていることを意味している。
【００３３】
警察・消防受付台１０による呼び返し操作が行われた場合、公衆電話網８を経て交換機側ＶｏＩＰゲートウェイ装置６（６−１〜６−Ｎ）に呼び返し信号が到達する（Ｔ８）。
【００３４】
呼び返し信号を受け取った交換機側ＶｏＩＰゲートウェイ装置６（６−１〜６−Ｎ）は、オンフックされた電話端末が接続されている端末側ＶｏＩＰゲートウェイ装置４（４−１〜４−Ｎ）に対して呼び返し信号を送信する（Ｔ９）。
【００３５】
交換機側ＶｏＩＰゲートウェイ装置６（６−１〜６−Ｎ）〜端末側ＶｏＩＰゲートウェイ装置４（４−１〜４−Ｎ）間のセッションは保持されたままであるので、呼び出し信号の送信が可能である。呼び返し信号を受信した端末側ＶｏＩＰゲートウェイ装置４（４−１〜４−Ｎ）は、呼び出し信号を電話端末２（２−１〜２−Ｎ）に送信することにより、電話端末のベルを鳴動させることができる。以上により呼び返し機能が実現される（Ｔ１０，Ｔ１１，Ｔ１２）。
【００３６】
警察・消防受付台にてオンフック動作が行われた場合（Ｔ１３）、公衆電話網８を経由して交換機側ＶｏＩＰゲートウェイ装置６（６−１〜６−Ｎ）がこれを検出し、公衆電話網８と切断シーケンスを開始するとともに（Ｔ１６）、端末側ＶｏＩＰゲートウェイ装置４（４−１〜４−Ｎ）に対してオンフック信号を送信し、セッション切断シーケンスを開始する（Ｔ１５）。セッション切断シーケンス完了後、端末側ＶｏＩＰゲートウェイ装置４（４−１〜４−Ｎ）は、警察・消防通話状態を解除し、呼の開放が完了する。
【００３７】
したがって、本発明の実施の形態に係るインターネット電話システムによれば、警察・消防通話において、端末側ＶｏＩＰゲートウェイ装置４（４−１〜４−Ｎ）において、電話端末２（２−１〜２−Ｎ）からのオンフックを無視することにより、回線保留機能及び警察・消防受け付け台１０からの呼び返し機能を実現することができる。
＜第２の実施の形態＞
図４は、本発明の第２の実施の形態に係るインターネット電話システムの動作を説明するためのタイミングチャートである。なお、インターネット電話システムの構成は、図１と同一であり、図１と同一部分には同一符号を付して説明する。
【００３８】
以下、電話端末より１１０番又は１１９番通報をするためオフフックした場合について説明する。
【００３９】
電話端末２（２−１〜２−Ｎ）のオフフック動作を端末側ＶｏＩＰゲートウェイ装置４（４−１〜４−Ｎ）が検知する（Ｔ２１）。当該装置４（４−１〜４−Ｎ）は、交換機側ＶｏＩＰゲートウェイ装置６（６−１〜６−Ｎ）と、ＩＰネットワークを介してセッションを確立する（Ｔ２２）。
【００４０】
この後、交換機側ＶｏＩＰゲートウェイ装置６（６−１〜６−Ｎ）は、公衆電話網８に対して発呼シーケンスを開始する（Ｔ２３）。このとき、交換機側ＶｏＩＰゲートウェイ装置６（６−１〜６−Ｎ）は、当該呼が１１０番呼又は１１９番呼であることを保持している。
【００４１】
交換機側ＶｏＩＰゲートウェイ装置６（６−１〜６−Ｎ）の発呼シーケンス開始により、警察・消防受付台１０が着信する。その後、警察・消防受付台１０におけるオフフックは、公衆電話網８を介して交換機側ＶｏＩＰゲートウェイ装置６（６−１〜６−Ｎ）にて検知される（Ｔ２４）。交換機側ＶｏＩＰゲートウェイ装置６（６−１〜６−Ｎ）は、端末側ＶｏＩＰゲートウェイ装置４（４−１〜４−Ｎ）にオフフック信号を送出する（Ｔ２５）。これにより、交換機側ＶｏＩＰゲートウェイ装置６（６−１〜６−Ｎ）は警察・消防通話状態となる（Ｔ２６）。
【００４２】
警察・消防通話状態において、交換機側ＶｏＩＰゲートウェイ装置６（６−１〜６−Ｎ）が公衆電話網８側からのオンフックを検知しないかぎり、交換機側ＶｏＩＰゲートウェイ装置６（６−１〜６−Ｎ）は、交換機側ＶｏＩＰゲートウェイ装置６（６−１〜６−Ｎ）〜端末側ＶｏＩＰゲートウェイ装置４（４−１〜４−Ｎ）間のセッションを切断しないよう動作する。
【００４３】
すなわち、警察・消防通話状態において、電話端末２（２−１〜２−Ｎ）のオンフックを検知した端末側ＶｏＩＰゲートウェイ装置４（４−１〜４−Ｎ）が、端末ＶｏＩＰゲートウェイ装置４（４−１〜４−Ｎ）〜交換機側ＶｏＩＰゲートウェイ装置６（６−１〜６−Ｎ）間のセッションを切断すべく送出したセッション切断要求を交換機側ＶｏＩＰゲートウェイ装置６（６−１〜６−Ｎ）が受信しても、交換機側ＶｏＩＰゲートウェイ装置６（６−１〜６−Ｎ）はそれを拒否する（Ｔ２７，Ｔ２８）。
【００４４】
警察・消防通話状態において、電話端末２（２−１〜２−Ｎ）がオンフックした後に続けてオフフック動作をしても、端末側ＶｏＩＰゲートウェイ装置４（４−１〜４−Ｎ）と、交換機側ＶｏＩＰゲートウェイ装置６（６−１〜６−Ｎ）との間のセッションは保持されているので、オフフック後、電話端末は別の発呼を行うことはなく、警察・消防受付台との通話が再開される。これは回線保留機能が実現されていることを意味している。
【００４５】
警察・消防受付台１０による呼び返し操作が行われた場合、公衆電話網８を経て交換機側ＶｏＩＰゲートウェイ装置６（６−１〜６−Ｎ）に呼び返し信号が到達する。
【００４６】
呼び返し信号を受け取った交換機側ＶｏＩＰゲートウェイ装置６（６−１〜６−Ｎ）は、オンフックされた電話端末が接続されている端末側ＶｏＩＰゲートウェイ装置４（４−１〜４−Ｎ）に対して呼び返し信号を送信する（Ｔ２９〜Ｔ３０）。交換機側ＶｏＩＰゲートウェイ装置６（６−１〜６−Ｎ）〜端末側ＶｏＩＰゲートウェイ装置４（４−１〜４−Ｎ）間のセッションは保持されたままであるので、呼び出し信号の送信が可能である。呼び返し信号を受信した端末側ＶｏＩＰゲートウェイ装置４（４−１〜４−Ｎ）は、電話端末２（２−１〜２−Ｎ）のベルを鳴動させることができる（Ｔ３１）。以上により呼び返し機能が実現される（Ｔ３２，Ｔ３３）。
【００４７】
警察・消防受付台１０において、オンフック動作が行われた場合、公衆電話網８を経由して交換機側ＶｏＩＰゲートウェイ装置６（６−１〜６−Ｎ）がこれを検出し（Ｔ３４）、公衆電話網と切断シーケンスを開始するとともに（Ｔ３７）、端末側ＶｏＩＰゲートウェイ装置４（４−１〜４−Ｎ）に対してオンフック信号を送信し（Ｔ３５）、セッション切断シーケンスを開始する（Ｔ３６）。セッション切断シーケンス完了後、端末側ＶｏＩＰゲートウェイ装置４（４−１〜４−Ｎ）は警察・消防通話状態を解除し、呼の開放が完了する。
【００４８】
したがって、本発明の実施の形態に係るインターネット電話システムによれば、警察・消防通話中において、電話端末２（２−１〜２−Ｎ）がオンフック動作を行ない、端末側ＶｏＩＰゲートウェイ装置４（４−１〜４−Ｎ）からセッション切断要求が行なわれても、交換機側ＶｏＩＰゲートウェイ装置６（６−１〜６−Ｎ）においてセッション切断を拒否するので、回線保留機能及び警察・消防受け付け台１０からの呼び返し機能を実現することができる。
＜第３の実施の形態＞
図２は、本発明の第３の実施の形態に係るインターネット電話システムの構成を示す図である。なお、図１と同一部分には、同一符号を付し、ここでは、異なる部分について述べる。
【００４９】
すなわち、図１に示したインターネット電話システムと異なる点は、ＩＰネットワーク５にＶｏＩＰゲートキーパー装置（ＧＫ）２１が接続されていることにある。
【００５０】
以下、図５のタイミングチャートを参照して、電話端末２（２−１〜２−Ｎ）より１１０番又は１１９番発呼をするためオフフックした場合について説明する。
【００５１】
電話端末２（２−１〜２−Ｎ）のオフフック動作を端末側ＶｏＩＰゲートウェイ装置４（４−１〜４−ｎ）が検知する（Ｔ４１）。当該装置４（４−１〜４−ｎ）は、交換機側ＶｏＩＰゲートウェイ装置６（６−１〜６−Ｎ）とＩＰネットワークを介して音声通話のためのセッションを確立すべく、ＶｏＩＰゲートキーパー装置（ＧＫ）２１と呼制御用のセッションを確立する（Ｔ４２）。
【００５２】
ＶｏＩＰゲートキーパー装置２１は、交換機側ＶｏＩＰゲートウェイ装置６（６−１〜６−Ｎ）と呼制御用セッションを確立する（Ｔ４３）と同時に、当該呼が１１０番呼又は１１９番呼であることを保持する。
【００５３】
この後、交換機側ＶｏＩＰゲートウェイ装置６（６−１〜６−Ｎ）は、公衆電話網８に対して発呼シーケンスを開始し、警察・消防受付台１０に着信する（Ｔ４４）。警察・消防受付台１０におけるオフフックは、公衆電話網８を介して交換機側ＶｏＩＰゲートウェイ装置６（６−１〜６−Ｎ）にて検知される（Ｔ４５）。
【００５４】
交換機側ＶｏＩＰゲートウェイ装置６（６−１〜６−Ｎ）は、ＶｏＩＰゲートキーパー装置２１に対してオフフック信号を送出する（Ｔ４６）。ＶｏＩＰゲートキーパー装置２１は、端末側ＶｏＩＰゲートウェイ装置４に対してオフフック信号を送出し（Ｔ４７）、端末側ＶｏＩＰゲートウェイ装置４（４−１〜４−Ｎ）〜交換機側ＶｏＩＰゲートウェイ装置６（６−１〜６−Ｎ）間の音声通話用セッションが確立する。以上で電話端末〜警察・消防受付台間で通話が可能となる（Ｔ４８）。また、このとき、ＶｏＩＰゲートキーパー装置２１は、警察・消防通話状態となる。
【００５５】
警察・消防通話状態において、ＶｏＩＰゲートキーパー装置２１が公衆電話網８側からのオンフックを検知しないかぎり、ＶｏＩＰゲートキーパー装置２１は、ＶｏＩＰゲートキーパー装置２１〜交換機側ＶｏＩＰゲートウェイ装置６（６−１〜６−Ｎ）間及びＶｏＩＰゲートキーパー装置２１〜端末側ＶｏＩＰゲートウェイ装置４（４−１〜４ーＮ）間の呼制御用のセッション、及び端末側ＶｏＩＰゲートウェイ装置４（４−１〜４−Ｎ）〜交換機側ＶｏＩＰゲートウェイ装置６（６−１〜６−Ｎ）間の音声通話用のセッションを切断しないよう動作する。
【００５６】
すなわち、警察・消防通話状態において、電話端末２（２−１〜２−Ｎ）のオンフックを検知した端末側ＶｏＩＰゲートウェイ装置４（４−１〜４−Ｎ）が、端末側ＶｏＩＰゲートウェイ装置４（４−１〜４−Ｎ）〜交換機側ＶｏＩＰゲートウェイ装置６（６−１〜６−Ｎ）間のセッションを切断すべく送出したセッション切断要求をＶｏＩＰゲートキーパー装置２１が受信しても、ＶｏＩＰゲートキーパー装置２１はそれを拒否する（Ｔ４９，Ｔ５０）。
【００５７】
警察・消防通話状態において、電話端末２（２−１〜２−Ｎ）がオンフックした後に続けてオフフック動作をしても、ＶｏＩＰゲートキーパー装置２１〜交換機側ＶｏＩＰゲートウェイ装置６（６−１〜６−Ｎ）間及びＶｏＩＰゲートキーパー装置２１〜端末側ＶｏＩＰゲートウェイ装置４（４−１〜４−Ｎ）間の呼制御用のセッション及び端末側ＶｏＩＰゲートウェイ装置４（４−１〜４−Ｎ）〜交換機側ＶｏＩＰゲートウェイ装置６（６−１〜６−Ｎ）間の音声通話用のセッションは保持されているので、オフフック後、電話端末２（２−１〜２−Ｎ）は別の発呼を行うことはなく、警察・消防受付台との通話が再開される。これは回線保留機能が実現されていることを意味している。
【００５８】
警察・消防受付台による呼び返し操作が行われた場合、公衆電話網８を経て交換機側ＶｏＩＰゲートウェイ装置６（６−１〜６−Ｎ）に呼び返し信号が到達する（Ｔ５１）。交換機側ＶｏＩＰゲートウェイ装置６（６−１〜６−Ｎ）はＶｏＩＰゲートキーパー装置２１に対し呼び返し信号を送信する（Ｔ５２）。
【００５９】
ＶｏＩＰゲートキーパー装置２１は、オンフックされた電話端末２（２−１〜２−Ｎ）が接続されている端末側ＶｏＩＰゲートウェイ装置４（４−１〜４−Ｎ）に対して呼び返し信号を送信する（Ｔ５３）。
【００６０】
交換機側ＶｏＩＰゲートウェイ装置６（６−１〜６−Ｎ）〜ＶｏＩＰゲートキーパー装置２１間及びＶｏＩＰゲートキーパー装置２１〜端末側ＶｏＩＰゲートウェイ装置４（４−１〜４−Ｎ）間の呼制御用のセッションは保持されたままであるので、呼び出し信号の送信が可能である。呼び返し信号を受信した端末側ＶｏＩＰゲートウェイ装置４（４−１〜４−Ｎ）は、呼び返し信号を電話端末２（２−１〜２−Ｎ）に送信することにより（Ｔ５４）、電話端末２（２−１〜２−Ｎ）のベルを鳴動させることができる。以上により呼び返し機能が実現される。
【００６１】
電話端末２（２−１〜２−Ｎ）において、オフフックを行なうことにより（Ｔ５５）、交換機側ＶｏＩＰゲートウェイ装置６（６−１〜６−Ｎ）〜端末側ＶｏＩＰゲートウェイ装置４（４−１〜４−Ｎ）間の音声通話用セッションは保持されたままであるので、通話が再開される（Ｔ５６）。
【００６２】
警察・消防受付台１０にてオンフック動作が行われた場合、公衆電話網８を経由して交換機側ＶｏＩＰゲートウェイ装置６（６−１〜６−Ｎ）がこれを検出し（Ｔ５７）、公衆電話網８と切断シーケンス（Ｔ６０）を開始するとともに、ＶｏＩＰゲートキーパー装置２１に対してオンフック信号を送信する（Ｔ５８）。
【００６３】
オンフック信号は、ＶｏＩＰゲートキーパー装置２１を経由して端末側ＶｏＩＰゲートウェイ装置４（４−１〜４−Ｎ）にて受信され（Ｔ５９）、端末側ＶｏＩＰゲートウェイ装置４（４−１〜４−Ｎ）〜交換機側ＶｏＩＰゲートウェイ装置６（６−１〜６−Ｎ）間の音声通話用のセッションが切断される。
【００６４】
その後、ＶｏＩＰゲートキーパー装置２１は、当該装置２１〜交換機側ＶｏＩＰゲートウェイ装置６（６−１〜６−Ｎ）間及び当該装置２１〜端末側ＶｏＩＰゲートウェイ装置４（４−１〜４−Ｎ）間呼制御用のセッションの切断シーケンスを開始し、呼の開放が完了する（Ｔ６１，Ｔ６２）。
【００６５】
したがって、本発明の第３の実施の形態に係るインターネット電話システムによれば、警察・消防通話中において、電話端末２（２−１〜２−Ｎ）がオンフック動作を行ない、端末側ＶｏＩＰゲートウェイ装置４（４−１〜４−Ｎ）からセッション切断要求が行なわれても、ＶｏＩＰゲートキーパー装置２１において、セッション切断を拒否するので、回線保留機能及び警察・消防受け付け台１０からの呼び返し機能を実現することができる。
【００６６】
また、本発明の実施の形態に係るインターネット電話システムによれば、第一種電気通信事業者が実施している警察・消防回線への通報すなわち１１０呼、１１９番呼における回線保留機能及び呼び返し機能を、インターネット電話システムの電話端末に対しても、一般加入電話と同様に実現することができる。
【００６７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６８】
【発明の効果】
以上詳記したように、本発明によれば、警察・消防に通話中において、電話端末にてオンフックが行なわれた場合にも、回線保留及び呼び返しを行なうことができるインターネット電話システムを提供することができる。
【図面の簡単な説明】
【図１】インターネット電話システムの構成を示す図である。
【図２】本発明の第３の実施の形態に係るインターネット電話システムの構成を示す図である。
【図３】本発明の第１の実施の形態に係るインターネット電話システムの動作を説明するためのタイミングチャートである。
【図４】本発明の第２の実施の形態に係るインターネット電話システムの動作を説明するためのタイミングチャートである。
【図５】本発明の第３の実施の形態に係るインターネット電話システムの動作を説明するためのタイミングチャートである。
【図６】第一種電気通信事業者が提供する加入電話の電話端末と公衆電話網の間を局線で接続し、公衆電話網と警察・消防受付台との間を警察・消防回線で接続しているネットワーク構成図である。
【図７】図１に示したインターネット電話システムの従来の動作を説明するためのタイミングチャートである。
【符号の説明】
１…インターネット電話システム、２（２−１〜２−Ｎ）…電話端末、３（３−１〜３−Ｎ）…加入者線、４（４−１〜４−Ｎ）…端末側ＶｏＩＰゲートウェイ装置（ＦＸＳ）、５…ＩＰネットワーク、６（６−１〜６−Ｎ）…交換機側ＶｏＩＰゲートウェイ装置、７（７−１〜７−Ｎ）…局線、８…公衆電話網、９…警察・消防回線、１０…警察・消防受付台（ＰＦＤ）、２１…ＶｏＩＰゲートキーパー装置（ＧＫ）。
【図１】
2004363818.tif 000003
【図２】
2004363818.tif 000004
【図３】
2004363818.tif 000005
【図４】
2004363818.tif 000006
【図５】
2004363818.tif 000007
【図６】
2004363818.tif 000008
【図７】
2004363818.tif 000009